(57)【要約】【課題】床レールを敷設する必要がなく、かつ、汎用の吊戸でも吊戸の振れによるガタツキを防止できる開口部装置を提供する。【解決手段】複数枚引きの障子２，３を閉じた際の、少なくとも一方の障子２の召し合せ框２ｂの下端近傍の床面に、該障子２の下框２ｃを障子２の面外方向から挟んで障子２の面外方向の振れを規制する規制部材４０が設けられている。規制部材４０は、障子２の下框２ｃを横切るようにして床面に設けられる薄板状の基板４１と、この基板４１の両端部にそれぞれ一体的にかつ上方に突出するように形成されているとともに下框２ｃを挟むようにして設けられた規制ブロック４２，４２とを備えている。規制部材４０は、上側から挿入されて床面にねじ込まれているとともに規制ブロック４２，４２の内側でかつ規制ブロック４２，４２よりも上方に突出しないように設けられたねじにより床面に固定されている。【選択図】図３
2011144632.tif 000002
【特許請求の範囲】
【請求項１】
左右の縦枠と、この左右の縦枠の上端部を連結する上枠とを有する枠体と、この枠体の内部に設けられて前記上枠に設けられたレールに吊下げられ、レールに沿って移動可能な複数枚引きの障子とを備えた開口部装置であって、
前記複数枚引きの障子を閉じた際の、少なくとも一方の障子の召し合せ框の下端近傍の床面に、該障子の下框を障子の面外方向から挟んで障子の面外方向の振れを規制する規制部材が設けられており、
前記規制部材は、前記障子の下框を横切るようにして前記床面に設けられる薄板状の基板と、この基板の両端部にそれぞれ一体的にかつ上方に突出するように形成されているとともに前記下框を挟むようにして設けられた規制ブロックとを備え、
前記基板の両端部の前記規制ブロックの対向する部位にはそれぞれ、前記下框に当接する当接部が設けられており、
前記規制部材は、上側から挿入されて前記床面にねじ込まれているとともに前記規制ブロックの内側でかつ前記規制ブロックよりも上方に突出しないように設けられたねじにより前記床面に固定されていることを特徴とする開口部装置。
【発明の詳細な説明】
【技術分野】
【０００１】
本発明は、上端部をガイドレールに吊下げられた状態で移動する障子を備えた開口部装置に関する。
【背景技術】
【０００２】
引戸の上部に設けられたレールに案内されて吊り車が転動することにより開閉が行われるハンガー引戸の一例として特許文献１に記載のものが知られている。
このハンガー引戸は、床面に振止めローラを配置して奥側吊戸の下端に形成したガイド溝に内装し、又該吊戸下端部に固定した支持具先端に同じく振止めローラを軸支するとともに、この振止めローラを手前側吊戸のガイド溝に遊嵌し、さらに手前側吊戸下方の床面に床レールを沿設し、床レールのガイド溝には吊戸下方へ突出したスライダーを遊嵌した構成となっている。
【先行技術文献】
【特許文献】
【０００３】
【特許文献１】実開平７−２１９８６号公報
【発明の概要】
【発明が解決しようとする課題】
【０００４】
しかし、上記のようなハンガー引戸では、床面に床レールを敷設する必要があるので、この敷設工事に手間がかかるばかりか、床レールためにバリアフリーでなくなり、掃除等の際に不便である。
また、床面に配置した振止ローラを吊戸の下端に形成したガイド溝に内装しているので、吊戸にガイド溝を形成しなければならず、汎用の吊戸には適用できない。
【０００５】
本発明は上記事情に鑑みてなされたもので、床レールを敷設する必要がなく、かつ、汎用の吊戸でも吊戸の振れによるガタツキを防止できる開口部装置を提供することを目的とする。
【課題を解決するための手段】
【０００６】
前記目的を達成するために、本発明の請求項１に記載の開口部装置は、左右の縦枠と、この左右の縦枠の上端部を連結する上枠とを有する枠体と、この枠体の内部に設けられて前記上枠に設けられたレールに吊下げられ、レールに沿って移動可能な複数枚引きの障子とを備えた開口部装置であって、
前記複数枚引きの障子を閉じた際の、少なくとも一方の障子の召し合せ框の下端近傍の床面に、該障子の下框を障子の面外方向から挟んで障子の面外方向の振れを規制する規制部材が設けられており、
前記規制部材は、前記障子の下框を横切るようにして前記床面に設けられる薄板状の基板と、この基板の両端部にそれぞれ一体的にかつ上方に突出するように形成されているとともに前記下框を挟むようにして設けられた規制ブロックとを備え、
前記基板の両端部の前記規制ブロックの対向する部位にはそれぞれ、前記下框に当接する当接部が設けられており、
前記規制部材は、上側から挿入されて前記床面にねじ込まれているとともに前記規制ブロックの内側でかつ前記規制ブロックよりも上方に突出しないように設けられたねじにより前記床面に固定されていることを特徴とする。
ここで、本発明においては、「床面」は、地面を含むものとする。
【発明の効果】
【０００７】
請求項１に記載の開口部装置によれば、障子の召し合せ框の下端近傍の床面に規制部材が設けられているので、この規制部材によって障子の下框を障子の面外方向から挟んで障子の面外方向の振れを規制することができる。したがって、床レールを敷設しなくても、障子の振れによるガタツキを防止できる。
また、規制部材は障子の下框を障子の面外方向から挟むものであるので、ガタツキを防止するために障子を改良する必要もなく、汎用の障子でもそのガタツキを防止できる。
【図面の簡単な説明】
【０００８】
【図１】本発明に係る開口部装置の一例を示すものであり、該開口部装置を、建物の外部から見た正面図である。
【図２】同、開口部装置の縦断面図である。
【図３】同、開口部装置の平断面図である。
【図４】同、（ａ）は可動障子の下端部の側断面図、（ｂ）は可動障子の下端部の平面図、（ｃ）は可動障子の下端部の縦断面図である。
【図５】同、（ａ）は規制部材の平面図、（ｂ）は規制部材の側面図、（ｃ）は規制部材の正面図である。
【発明を実施するための形態】
【０００９】
以下、図面を参照しながら本発明の実施の形態について説明する。
図１は本発明の実施の形態に係る開口部装置を、建物の外部から見た正面図である。同図に示すように、この開口部装置は、枠体１と、この枠体１内に設けられた２枚の可動障子２，３と、固定障子４とを備えている。
枠体１は、左右の縦枠１ａ，１ａと、この左右の縦枠１ａ，１ａの上端部を連結する第１上枠１ｂと、この第１上枠１ｂの下方に所定間隔をもって平行に設けられた第２上枠１ｃとによって構成されている。
第１上枠１ｂと第２上枠１ｃとの間には、図２に示すように、ガラス板１ｄが嵌め込まれている。なお、このガラス板１ｄは欄間を構成しているが、この欄間は無くてもよい。
【００１０】
前記可動障子２は内障子、可動障子３は外障子を構成しており、固定障子４は嵌め殺しの障子となっている。
可動障子２は、図２に示すように、第２上枠１ｃに設けられたレール５に吊車６を介して吊下げられており、該レール５に沿って吊車６が転動することによって、左右（図１において左右）に移動可能とされ、これによって開口部の開閉を行うようになっている。同様に、可動障子３も、第２上枠１ｃに設けられたレール５に吊車６を介して吊下げられて、該レール５に沿って吊車６が転動することによって、左右に移動可能とされ、これによって開口部の開閉を行うようになっている。
【００１１】
なお、可動障子２，３にはそれぞれアーム６ａ，６ｂを介して吊車６が取り付けられているが、これら吊車６が転動するのは、１つのレール５である。したがって、可動障子３の直上にこの可動障子３用の吊車６は位置するが、可動障子２用の吊車３は可動障子２の直上より若干外側に偏心している。また、可動障子２，３にはそれぞれガラス板が嵌め込まれている。
さらに、可動障子２には、図３に示すように、引き手７，７が可動障子２の外側の縦框（戸先框）２ａに沿って室内外側に形成され、引き手８が召し合せ框２ｂに沿って室内側に形成されている。可動障子３には、引き手９が召し合せ框３ａに沿って室外側に形成され、引き手１０が召し合わせ框３ｂに沿って室内側に形成されている。
固定障子４は、第２上枠１ｃと縦枠１ａとに固定されており、また、固定障子４にもガラス板が嵌め込まれている。
【００１２】
前記可動障子２の召し合わせ框２ｂには、アーム１１が固定されている。このアーム１１は可動障子３側に向けて延出しており、該アーム１１の先端部にはサイドローラ１２が取り付けられている。このサイドローラ１２は可動障子３の内面に設けられたスリットからガイド溝内に挿入されて、該ガイド溝の内側面を転動可能となっている。
また、可動障子３の召し合わせ框３ａには、アーム１３が固定されている。このアーム１３は可動障子２側に向けて延出しており、該アーム１３の先端部にはサイドローラ１４が取り付けられている。このサイドローラ１４は可動障子２の外面に設けられたスリットからガイド溝内に挿入されて、該ガイド溝の内側面を転動可能となっている。
【００１３】
さらに、可動障子３の召し合わせ框３ｂには、アーム１５が固定されている。このアーム１５は固定障子４側に向けて延出しており、該アーム１５の先端部にはサイドローラ１６が取り付けられている。このサイドローラ１６は固定障子４の内面に設けられたスリットからガイド溝内に挿入されて、該ガイド溝の内側面を転動可能となっている。
【００１４】
そして、可動障子３に対して可動障子２を移動させる場合には、ローラ１２，１４がそれぞれ可動障子３と可動障子２のガイド溝の内側面を転動することによって、可動障子２の移動がガイドされるようになっている。また、固定障子４に対して可動障子３を移動させる場合には、ローラ１６が固定障子４のガイド溝の内側面を転動することによって、可動障子３の移動がガイドされるようになっている。
したがって、２枚引きの可動障子２，３はそれが移動する際、つまり開口部を開閉する際に、ガイドされて面外方向（室内外方向）への振れが防止されるようになっている。
【００１５】
前記可動障子２，３の下端部には、それぞれ隙間閉塞部材２０が設けられているが、以下では、可動障子２の下端部に設けられた隙間閉塞部材２０について説明する。なお、可動障子３の下端部に設けられた隙間閉塞部材２０は、可動障子２の下端部に設けられた隙間閉塞部材２０と同様の構成であるので、その説明は省略する。
図２および図４に示すように、可動障子２の下端部には、凹溝２１が可動障子２の下框２ｃの長手方向に沿って形成されている。この凹溝２１に隙間閉塞部材２０が上下動可能に挿入されている。
隙間閉塞部材２０は、下方に開口した断面コ字状のボトムタイト２２と、このボトムタイト２２の両側板の下端に取り付けられたパッキン材２３とを備えており、ボトムタイト２２の両端部には小口ブロック２４，２５が接続されている。また、小口ブロック２４，２５はそれぞれ可動障子２の召し合わせ框２ａ，２ｂの下端開口に上下動可能に挿入されている。これら小口ブロック２４，２５の下端部にもパッキン材２３が取り付けられている。
【００１６】
また、召し合わせ框２ａの内部に形成されている壁部２６の下端部には、縦長の長穴２６ａが形成されており、召し合わせ框２ｂの内部に形成されている壁部２７の下端部には縦長の長穴２７ａが形成されている。これら長穴２６ａ，２７ａは互いに対向して配置されており、上下左右の位置と上下の長さは等しくなっている。
そして、長穴２６ａ，２７ｂにねじ２８，２９を挿入して、それぞれ小口ブロック２４，２５にねじ込むことによって、隙間閉塞部材２０が壁部２６，２７に上下動可能に取り付けられている。
【００１７】
前記ボトムタイト２２内には、左右一対のガイドローラ３０，３０が設けられている。すなわち、まず、ボトムタイト２２内にはローラ支持体３１が挿入されている。ローラ支持体３１の上部にはフランジ部が形成されており、このフランジ部をボトムタイト２２の上部内壁面に当接したうえで、このフランジ部にねじ３２を挿通してボトムタイト２２の上板部にねじ込むことによって、ローラ支持体３１がボトムタイト２２に固定されている。
また、ローラ支持体３１には、ガイドローラ３０を装着する装着溝が形成されており、この装着溝にガイドローラ３０が装入されたうえで、該ガイドローラ３０の中心部が軸３０ａによって支持されている。この軸３０ａはローラ支持体３１の装着溝に配置され、一端部がローラ支持体３１に固定されものである。なお、軸３０ａは、両端部がローラ支持体３１に固定されていてもよい。
ガイドローラ３０はローラ支持体３１の下端より下方に突出しており、また、このローラ支持体３１の下端は前記パッキン材２３の下端より上方に位置している。さらに、ガイドローラ３０はパッキン材２３の下端よりごく僅かだけ下方に突出している。例えば、パッキン材２３の下端とガイドローラ３０の突出した下端との距離は１ｍｍ程度ある。
【００１８】
また、隙間閉塞部材２０と可動障子２の凹溝２１の上面との間には、隙間閉塞部材２０を下方に付勢する板バネ（付勢部材）３５が設けられている。
すなわち、板バネ３５は上方に湾曲した帯板状のものであり、その一端部は平板状に形成され、この平板状の部分にねじ３６を挿通し、ボトムタイト２２の上板部にねじ込むことによって、ボトムタイト２２の上面に取り付けられている。この状態において、板バネ２２の最上部はボトムタイト２２の上部内壁面に弾性的に当接しており、これによって、ボトムタイト２２、すなわち隙間閉塞部材２０を下方に付勢している。隙間閉塞部材２０にはガイドローラ３０，３０が取り付けられているので、このガイドローラ３０，３０は床面に弾性的に当接、すなわち下方に付勢された状態で当接している。
なお、上記のような隙間閉塞部材２０、ガイドローラ３０、板バネ３５は可動障子３の下端部にも同様にして設けられている。
【００１９】
そして、このような隙間閉塞部材２０、ガイドローラ３０を備えた開口部装置では、レール５に吊下げられた可動障子２，３を開閉方向に移動させると、これに伴ってガイドローラ３０，３０が床面を転動して、可動障子２，３の移動をガイドする。このガイドローラ３０，３０は隙間閉塞部材２０に、この隙間防止部材２０から若干突出させて設けられているので、隙間閉塞部材２０の下端（パッキン材２３の下端）と床面との間の隙間をガイドローラ３０，３０の突出量で一定に保持できる。
また、床面に凹凸があった場合、この凹凸上をガイドローラ３０，３０が転動するが、このガイドローラ３０，３０は隙間閉塞部材２０を介して板バネ３５，３５によって下方に付勢されているので、凹凸に沿って隙間閉塞部材２０とともに上下動する。したがって、可動障子２，３下端と床との隙間をほぼ一定にして、該隙間をほぼ塞ぐとともに、可動障子２，３をスムーズに開閉できる。
【００２０】
また、図３に示すように。可動障子２，３を閉じた際の、可動障子２の召し合わせ框３ａの下端近傍の床面には、規制部材４０が設けられている。この規制部材４０は可動障子の下框２ｃを可動障子２の面外方向（室内外方向）から挟んで可動障子２の面外方向の振れを規制するものである。
この規制部材４０はアルミダイキャスト製品であり、可動障子２の下框２ｃを横切るようにして床面に設けられる薄板状の基板４１と、この基板４１の両端部に設けられて下框２ｃに設けられた隙間閉塞部材２０を挟むようにして設けられた一対の規制ブロック４２，４２とを備えている。
【００２１】
前記基板４１は厚さが２ｍｍ程度の薄帯板状のものであり、幅は３０mm程度である。また、規制ブロック４２の高さは１２ｍｍ程度である。
規制ブロック４２，４２は基板４１と一体的に形成されたものであり、対向する部位には、下框２ｃの隙間開閉部材２０に当接する当接部４３，４３が設けられている。当接部４３，４３は円筒面状に形成されており、対向する当接部４３，４３間の最短距離が隙間開閉部材２０の幅とほぼ同一か若干広くなっている。したがって、当接部４３，４３に隙間開閉部材２０が挟まれることによって、下框２ｃの面外方向への振れを規制できるようになっている。
【００２２】
また、規制ブロック４２の上面４２ａは、図５に示すように、規制ブロック４２の下面周縁から滑らかに連続する凸曲面に形成されている。すなわち、規制ブロック４２を側面視した場合、図５（ｂ）に示すように、上面４２ａは当接部４３の上端から規制ブロックの下面に向かう滑らかな曲面となっており、規制ブロック４２を正面視した場合、図５（ｃ）に示すように、規制ブロック４２の対向する下面周縁と交差する滑らかな円弧面状に形成されている。
また、規制ブロック４２には、その上面から下面に貫通する穴４２ｂが形成されており、この穴４２ｂにねじを挿通して、床面にねじ込むことによって、規制部材４０が床面に固定されている。
【００２３】
このような規制部材４０を備えた開口部装置では、可動障子２，３を閉じた際に、可動障子２の下框２ｃに設けられている隙間閉塞部材２０を可動障子２の面外方向から挟んで可動障子２の面外方向の振れを規制することができる。したがって、この開口部装置を建物の外部と内部とを仕切る壁等に設けた場合に、風圧等による障子のガタツキを防止できる。
また、可動障子２と可動障子３とは煙返し２ｄ，３ｄによって係合しており、可動障子３と固定障子４とは煙返し３ｅ，４ｅによって係合しているので、規制部材４０によって可動障子２の面外方向の振れを規制することによって、可動障子３の面外方向の振れを防止できる。
【００２４】
また、規制部材４０が基板４１と一対の規制ブロック４２，４２とを備えており、一対の規制ブロック４２，４２の対向する部位に、隙間閉塞部材２０に当接する当接部４３，４３が設けられているので、この規制部材４０を床面に固定することによって容易に可動障子２の振れを規制できる。したがって、床レールを敷設しなくても、可動障子２の振れによるガタツキを防止できる。
また、可動障子２の下框２ｃに隙間閉塞部材２０を設けても、この隙間閉塞部材２０を規制部材４０によって挟むことによって、該隙間閉塞部材２０を介して下框２ｃを面外方向から挟むことができる。したがって、可動障子２の下端部の形状等に拘らず、可動障子２の振れを規制できる。
また、規制部材４０は可動障子２の下框２ｃを面外方向から直接挟むこともできるので、ガタツキを防止するために可動障子２を改良する必要もなく、汎用の障子でもそのガタツキを防止できる。
さらに、規制ブロック４２は高さが１２ｍｍ程度と低く、その上面４２ａは、規制ブロック４２の下面周縁から滑らかに連続する凸曲面に形成されているので、床面に立設されたピン等によって可動障子２の振れを防止するものと異なり、規制ブロック４２に足がつまずいたり、このつまずきに起因する規制部材４０の損傷等を防止できる。
加えて、規制部材４０は目視も容易であるので、可動障子２，３を開いてその開口部を人が行き来する際に、人の注意を喚起できるので、この点においても足のつまずきを防止できる。
また、規制部材４０の当接部４３，４３は円筒面状になっており、それらの最も接近している部位で隙間閉塞部材２０を挟むようにしているので、可動障子２を開いた状態から閉じる方向に移動させる際に、隙間閉塞部材２０を当接部４３，４３間に挿入させて案内することができる。
【００２５】
なお、本実施の形態では、可動障子２の下端部に隙間閉塞部材２０を設け、この隙間閉塞部材２０を規制部材４０によって挟むことによって、該隙間閉塞部材２０を介して下框２ｃを可動障子２の面外方向から挟むようにしたが、本発明では隙間閉塞部材２０は設けなくてもよい。この場合、下框２ｃを規制部材４０によって直接挟むようにすればよい。
また、本実施の形態では、２枚引きの可動障子２，３を有する開口部装置に適用した場合を例にとって説明したが、本発明はこれに限ることなく、３枚引きやそれ以上の枚数の可動障子を有する開口部装置にも適用できる。
【符号の説明】
【００２６】
１  枠体
１ａ  縦枠
１ｂ  第１上枠（上枠）
１ｃ  第２上枠（上枠）
２，３  可動障子
２ｂ  召し合せ框
２ｃ  下框
２０  隙間閉塞部材
３０  ガイドローラ
３５  板バネ（付勢部材）
４０  規制部材
４１  基板
４２  規制ブロック
４２ａ  上面
４３  当接部
【図１】
2011144632.tif 000003
【図２】
2011144632.tif 000004
【図３】
2011144632.tif 000005
【図４】
2011144632.tif 000006
【図５】
2011144632.tif 000007